(57)【要約】【課題】水中に生息する各種細菌を死滅させ、又、発生を防止する為の殺菌装置であって、薬剤を投入することなく低コストでしかも簡単に殺菌処理を行なうことが出来る殺菌装置の提供。【解決手段】本発明の殺菌装置は複巻き変圧器１を使用し、変圧器１の二次側巻線４のマイナス側端子６ａには導電板８の表面を絶縁体９で被覆した絶縁性電極７を接続し、この絶縁性電極７を水中に沈め、二次側巻線４の他方のプラス側端子６ｂはアースされ、一次側巻線３の両端子５ａ，５ｂに電圧を負荷させることで水中に電界を発生して細菌を死滅させる。【選択図】        図１
2004330071.tif 000002
【特許請求の範囲】
【請求項１】
水中に生息する各種細菌を死滅させ、又発生を防止する為の殺菌装置において、複巻き変圧器を使用し、該変圧器の二次側巻線のマイナス側端子には導電板の表面を絶縁体で被覆した絶縁性電極を接続し、該絶縁性電極を水中に沈め、二次側巻線の他方のプラス側端子はアースされて、一次側巻線の両端子に電圧を負荷させることで、上記絶縁性電極の周囲に電界を発生させることにより、その水中及び連続している水系に発生する一般細菌、大腸菌、レジオネラ菌等を殺菌し、その発生を防止することを特徴とする電界を利用した殺菌装置。
【請求項２】
上記二次側巻線のプラス側端子は高電圧抵抗を介してアースされた請求項１記載の電界を利用した殺菌装置。
【発明の詳細な説明】
【０００１】
【発明の属する技術分野】
本発明は、流水および溜り水の中に発生する細菌を殺菌し、及び細菌の発生を防ぐ為に電界を利用した殺菌装置に関するものである。
【０００２】
【従来の技術】
一口に細菌といってもその種類は無数にあり、中には人にとって有益な細菌もあるが、害を及ぼす細菌も多い。時には、細菌が体に侵入することで病気になり、命を落とすといった場合も多い。特に、老人など免疫力が低下した人の体に細菌が侵入することで、死亡事故に繋がる。
【０００３】
ところで、細菌が生息する場所は色々あるが、例えばエアコンのクーリーングタワー内にはレジオネラ菌、大腸菌等が存在するが、特にレジオネラ菌はビル内の空気流入口から侵入して、ビル内で感染被害を起すことが知られている。又、ビルやマンションの給水塔内にも各種細菌が存在している。
【０００４】
温泉旅館などでもレジオネラ菌が問題になることが多く、老人などの免疫力が低下した人体に該レジオネラ菌が侵入すると、肺炎症状を起して死亡事故につながる。従来、プールなどの施設では塩素を使用して殺菌しているが、皮膚炎などの症状を引き起こす。
【０００５】
ところで、ビルやマンションにはびこるレジオネラ菌などを死滅させるには、一般に強力な薬剤が使用される。しかし、生命力のあるレジオネラ菌などは変異して強くなり、さらに強力な薬剤を用いなくてはならなくなる。一方、薬剤の投入によって殺菌する場合、人手もかかって、その費用は高くなる為に定期的な殺菌処理を行なうことも出来ない。
【０００６】
そこで、従来では薬剤の投入による殺菌方法以外に、磁力を応用した方法が知られている。すなわち、磁力を用いることで発生する磁界を横切る流水中に微弱電流が発生し、この電気的効果により細菌を死滅させると共に新たな細菌の発生を防止することが出来る。又、正負各々の電極を水中に没して低い電圧をその電極間に掛けて、その電気的効果により細菌の生成を抑えることも出来る。
【０００７】
【発明が解決しようとする課題】
このように磁力を利用して水中に生息する細菌を殺菌する方式では、設置した磁石によって発生する磁力線を流水が横切る事による微弱電流の発生を利用しているが、この場合には流水の量および速度によって発生する微弱電流が変化する為に、安定した効果を期待することが出来ない。
【０００８】
また、水中に設けた電極間に電圧をかけて微弱電流を流す方式では、水中に電流が流れるため、配管などの金属製の設備に電気による腐食が発生する可能性がある。そこで、余り高い電流が流れないようにしなければならず、効果が出るまでに時間がかかる。
【０００９】
同様に高電圧を発生させる装置では漏電や感電事故を防止することが出来ない。このように、従来の殺菌方法には色々な問題点があり、本発明は薬剤を投入することなく、又水中に電流を流すこと無く、水中に発生する細菌の殺菌及び発生の防止を行うことが出来る装置を提供する。
【００１０】
【課題を解決するための手段】
本発明は強力な交流電界を水中に発生させて、水中で起きる化学反応を制御し、細菌の殺菌及び発生を阻止するように構成したものである。高電圧を発生する為に複巻きトランスを使用し、交流変圧器の二次側巻線のプラス側端子をアースして、残る他方のマイナス側端子を絶縁された電極に接続している。そして該電極を水中に沈める。
【００１１】
一次側巻線の端子には電源側電圧が負荷され、その結果、二次側巻線には高い電圧が発生するが、該二次側巻線の一方をアース状態にすると共に他方を絶縁して水中に沈めることで、水中に電気が流れることはないが、高い交流電界が発生する。一般に細菌はプラス電子を所有している。又配管の内面に付着している藻などのスケールもプラス電子を持っている。そこで、水中にマイナスの交流電界を発生するならば、プラス電子を所有している細菌は死滅することになる。以下、本発明に係る実施例を図面に基づいて詳細に説明する。
【００１２】
【実施例】
図１は本発明に係る電界を利用した細菌装置の概要（電気回路）を示している。殺菌装置は変圧器１を有し、鉄心２には一次側巻線３と二次側巻線４が巻かれて構成されている。そして、一次側巻線３には一次側端子５ａ，５ｂを有し、二次側巻線４には同じく二次側端子６ａ，６ｂを有している。
【００１３】
そして、同図に示すようにマイナス側の二次側端子６ａには絶縁性電極７を接続し、他方のプラス側の二次側端子６ｂは抵抗を介してアースされている。この絶縁性電極７は、図２に断面を示しているように、導電板８を有し、該導電板８の周囲は絶縁体９にて完全被覆されている。勿論、二次側端子６ａは導電板８に接続しているが、表面が絶縁体９にて被覆されている為に電気は流れない。
【００１４】
ここで、導電板８の材質は問わないが、一般には銅板など電気を良く通す金属板が使用され、又ある程度大きな面積を備えているほうが好ましい。そして、絶縁体９としてはゴム又は樹脂が使用され、導電板８を金型にセットして樹脂を射出成形することで造ることが出来る。又は両ゴム板を導電板８の両面に隙間が残らないように貼り合わせることも可能である。
【００１５】
又、該絶縁体９は防水ウレタンを真空脱泡して加工することも出来る。図３は二次側巻線６ａの先端に絶縁電極７を接続した場合を示している。そして使用する時には、図４に示しているように、絶縁電極７を水中に沈め、又循環している管路に挿入する。
【００１６】
このように、絶縁電極７を水１０の中に沈め、変圧器１の一次側巻線３の両端子５ａ，５ｂに電圧をかけるならば、二次側巻線４の二次側端子６ａ，６ｂには高い交流電圧が発生する。しかし、一方の二次側端子６ａだけが絶縁性電極と成って水中に存在する為に、絶縁性電極７の周囲には交流電界が発生する。そして、水中での化学反応に干渉して、細菌を死滅させ、発生を防止することが出来る。
【００１７】
すなわち、絶縁性電極７の周囲に発生する電界はプラス電子を有す細菌を引寄せて死滅させ、配管の内面などに付着しているスケールを溶出して消滅させる。以上述べたように、本発明の殺菌装置は電界を発生させるものであり、次のような効果を得ることが出来る。
【００１８】
【発明の効果】
本発明に係る殺菌装置は、絶縁性電極を水中に沈めて一次側巻線に電圧を作用することで交流電界が発生し、水中に存在する各種細菌は死滅する。すなわち、プラス電子を持っている細菌類は発生するマイナス電界によって死滅することになる。又、冷却水の管路や他の付属の機器に析出しているスケール等が、再溶出して徐々に消滅していく。
【００１９】
従って、この殺菌装置の絶縁性電極を各種水設備の水系に挿入しておけば、大腸菌、一般細菌、レジオネラ菌等が死滅し、また時間をかけて管路内のスケールを除去し、内部の清掃の手間が省け、水系設備内部全体が細菌やスケール等の析出物によって汚染、閉塞する事から守られることになる。しかも、手間がかからず低コストで殺菌処理を行なうことが可能である。
【図面の簡単な説明】
【図１】本発明に係る殺菌装置の電気回路。
【図２】絶縁性電極の内部構造。
【図３】二次側巻線の端子に接続した絶縁性電極。
【図４】絶縁電極を水槽に入れた場合。
【符号の説明】
１    変圧器
２    鉄心
３    一次側巻線
４    二次側巻線
５    一次側端子
６    二次側端子
７    絶縁性電極
８    導電板
９    絶縁体
１０    水
【図１】
2004330071.tif 000003
【図２】
2004330071.tif 000004
【図３】
2004330071.tif 000005
【図４】
2004330071.tif 000006